(57)【要約】【課題】簡単な構造で、汎用の出力コネクタが使用可能となる電源装置を提供する。【解決手段】電源装置15は、筐体21、電源回路22、および出力コネクタ27を備える。筐体21は、開口部50を有する。電源回路22は、筐体21内に配設される。出力コネクタ27は、筐体21の開口部50に臨んで筐体21の内側に配設される。【選択図】図１
2017174602.tif 000002
【特許請求の範囲】
【請求項１】
開口部を有する筐体と；
前記筐体内に配設される電源回路と；
前記筐体の前記開口部に臨んで前記筐体の内側に配設される出力コネクタと；
を具備することを特徴とする電源装置。
【請求項２】
前記筐体は、前記開口部の上方に突出する遮蔽板部を有する
ことを特徴とする請求項１記載の電源装置。
【請求項３】
前記筐体は、長尺の第１の筐体と、前記開口部が設けられた長手方向の端面部を有し、この端面部が前記第１の筐体よりも前記長手方向に突出配置される長尺の第２の筐体とを備え、前記第１の筐体と前記第２の筐体との間に前記電源回路を収容し、
前記出力コネクタは、前記第１の筐体に固定されるとともに、前記出力コネクタの端面が前記第２の筐体の前記開口部よりも前記第１の筐体側に配置されている
ことを特徴とする請求項１または２記載の電源装置。
【請求項４】
器具本体と；
請求項１ないし３のいずれか一記載の電源装置と；
前記電源装置の前記出力コネクタに電気接続される光源と；
を具備したことを特徴とする照明装置。
【発明の詳細な説明】
【技術分野】
【０００１】
本発明の実施形態は、電源を出力する電源装置、およびこの電源装置を用いた照明装置に関する。
【背景技術】
【０００２】
従来、照明装置では、光源を有する器具本体と、光源に電源を供給する電源装置とを備え、器具本体側からの光源に接続されている接続線を電源装置の出力コネクタに接続するようにしたものがある。
【０００３】
このような電源装置において、汎用の出力コネクタを使用する場合、電気用品安全法では接続器として扱われてしまうため、出力コネクタに直接触れられないような構造とする必要があり、例えば、出力コネクタの先端を金属ボックスで覆うなどの追加構造が必要となり、コストアップとともに構造が複雑化してしまう。
【先行技術文献】
【特許文献】
【０００４】
【特許文献１】特開２０１０−２５７５９０号公報
【発明の概要】
【発明が解決しようとする課題】
【０００５】
本発明が解決しようとする課題は、簡単な構造で、汎用の出力コネクタが使用可能となる電源装置および照明装置を提供することである。
【課題を解決するための手段】
【０００６】
実施形態の電源装置は、筐体、電源回路、および出力コネクタを備える。筐体は、開口部を有する。電源回路は、筐体内に配設される。出力コネクタは、筐体の開口部に臨んで筐体の内側に配設される。
【発明の効果】
【０００７】
本発明によれば、簡単な構造で、汎用の出力コネクタが使用可能となることが期待できる。
【図面の簡単な説明】
【０００８】
【図１】一実施形態を示す電源装置の断面図である。
【図２】同上電源装置のコネクタ接続状態の断面図である。
【図３】同上電源装置の斜視図である。
【図４】同上電源装置の分解状態の斜視図である。
【図５】同上電源装置の斜視図である。
【図６】同上電源装置を用いた照明装置の側面図である。
【発明を実施するための形態】
【０００９】
以下、一実施形態を、図１ないし図６を参照して説明する。
【００１０】
図６に照明装置10を示す。照明装置10は、天井板11に形成された埋込口12に埋め込み設置されるダウンライトである。
【００１１】
照明装置10は、光源13を有する器具本体14、光源13に電源を供給する電源装置15、および光源13と電源装置15とを接続する接続線16を備えている。器具本体14は天井板11の埋込口12に設置され、電源装置15は天井板11の上側に配設される。器具本体14の光源13は、例えばＬＥＤや有機ＥＬなどの発光素子が用いられ、電源装置15から供給される直流電源によって発光する。電源装置15には、交流電源を供給する電源線17が接続され、さらに、調光制御する場合には調光信号を伝送する信号線18が接続される。
【００１２】
図１ないし図５に示すように、電源装置15は、長尺の筐体21、この筐体21内に配設される電源回路22、筐体21の長手方向の一端側である入力側23に配設される電源端子台24と調光端子台25、および筐体21の長手方向の他端側である出力側26に配設される出力コネクタ27を備えている。
【００１３】
そして、筐体21は、それぞれ長尺の第１の筐体31および第２の筐体32を備えている。第２の筐体32は電源回路22を配設するベースとして構成され、第１の筐体31は第２の筐体32との間に電源回路22を収容してその電源回路22を覆うカバーとして構成されている。
【００１４】
まず、カバーである第１の筐体31は、長方形状の底面部34、この底面部34の短手方向の両側から上方へ折曲された両側の側面部（第１の側面部）35、および底面部34の出力側26の端部から上方へ折曲された端面部（第１の端面部）36を備えている。さらに、底面部34の入力側23の端部から上方へ折曲された端面部36aも備えている。第１の筐体31の上面は開口されている。
【００１５】
側面部35の入力側23および出力側26の両端に突出部37，38がそれぞれ設けられ、この突出部37，38に第２の筐体32に固定するためのねじ39が挿通する挿通孔40がそれぞれ形成されている。
【００１６】
端面部36は、側面部35の出力側26の端部（突出部38）よりも内方に位置されている。すなわち、端面部36よりも側面部35が長手方向に突出されている。端面部36には、出力コネクタ27を嵌め込み装着する装着孔41が形成されている。
【００１７】
続いて、ベースである第２の筐体32は、長方形状の上面部43、この上面部43の短手方向の両側から下方へ折曲された両側の側面部（第２の側面部）44、および上面部43の出力側26の端部から下方へ折曲された端面部（第２の端面部）45を備えている。側面部44の入力側23の下端、および端面部45の出力側26の下端には、それぞれ外側へ向けて突出するように折曲された脚部46，47が設けられている。これら脚部46，47が天井板11の上面に設置される。また、第２の筐体32の入力側23の端面および下面は開口されている。
【００１８】
側面部44の入力側23および出力側26の両端には、第１の筐体31を挿通したねじ39が螺着する取付孔48がそれぞれ設けられている。側面部44には、電源回路22（電源基板）を支持するための複数の取付片49が上面部43の下方域に折曲されている。
【００１９】
端面部45には、出力コネクタ27よりも大きい寸法で四角形状の開口部50が形成されている。さらに、端面部45には、開口部50の上縁から外側へ向けて突出するように四角形状の遮蔽板部51が折曲されている。すなわち、遮蔽板部51が端面部45から切り起こされ、この端面部45の切り起こしによって開口部50が形成されている。
【００２０】
そして、第２の筐体32は、第１の筐体31よりも長手方向の寸法が大きく形成されている。第１の筐体31と第２の筐体32とを組み合わせると、第２の筐体32の両側の側面部44が第１の筐体31の両側の側面部35の外側に配置され、第１の筐体31と第２の筐体32との間に電源回路22を収容する電源回路収容空間52が形成される。第２の筐体32の端面部45は第１の筐体31の端面部36よりも長手方向の外側に突出配置され、すなわち、これら第２の筐体32の端面部45と第１の筐体31の端面部36とが離間されていて、これら第２の筐体32の端面部45と第１の筐体31の端面部36との間に出力コネクタ収納空間53が形成されている。また、第２の筐体32の脚部46，47が第１の筐体31よりも下方に突出される。
【００２１】
また、電源回路22は、長方形の電源基板56、およびこの電源基板56に実装された電源部品（図示せず）を備えている。電源基板56は、第２の筐体32の上面部43との間に所定の間隙をあけて第２の筐体32内に配設されており、上面部43に装着される複数の基板ファスナ57によって保持されているとともに、第２の筐体32の複数の取付片49に例えばねじ止めによって取り付けられている。そして、電源回路22は、交流電源を入力するとともに所定の直流電源に変換して出力し、また、調光信号を入力することにより、調光信号に応じて直流電源の出力を制御する。電源基板56には、一端側（入力側23）に交流電源および調光信号が入力され、他端側（出力側26）から直流電源が出力される。
【００２２】
また、電源端子台24および調光端子台25は、第２の筐体32の入力側23の上面部43の端部に短手方向に並んで取り付けられている。電源端子台24および調光端子台25は、内部配線によって電源回路22にそれぞれ電気的に接続されている。電源端子台24および調光端子台25には、筐体21の入力側23の端面開口から電源線17および信号線18をそれぞれ接続可能としている。
【００２３】
また、出力コネクタ27は、第１の筐体31の端面部36の外側から装着孔41に嵌め込まれ、出力コネクタ27が有する爪構造によって端面部36に係止されている。出力コネクタ27は、内部配線によって電源回路22に電気的に接続されている。
【００２４】
第１の筐体31の端面部36に装着された出力コネクタ27の一部は、端面部36よりも外側に突出しているが、第２の筐体32の端面部45よりも内側に配置され、出力コネクタ27の外側の端面27aが第２の筐体32の開口部50に対向されている。すなわち、出力コネクタ27は、第１の筐体31に固定されるとともに、出力コネクタ27の外側の端面27aが第２の筐体32の開口部50よりも内側である第１の筐体31側に配置されている。
【００２５】
したがって、出力コネクタ27は、第２の筐体32の開口部50に臨んで筐体21の内側に配設されている。そのため、出力コネクタ27は、筺体21の内側に配設されることで、器内配線扱いになり、汎用品を使用することが可能となる。
【００２６】
そして、照明装置10を天井板11に設置する際、天井板11の上方に配線されて埋込口12に導かれている電源線17および信号線18を電源装置15の電源端子台24および調光端子台25にそれぞれ電気的に接続し、器具本体14からの接続線16の先端に設けられている接続コネクタ60を電源装置15の出力コネクタ27に電気的に接続する。接続コネクタ60は、第２の筐体32の端面部45の開口部50を通じて出力コネクタ27に差し込んで接続する。
【００２７】
電源装置15を埋込口12から天井板11の上方に挿通し、電源装置15の脚部46，47を利用して天井板11の上面に設置し、器具本体14を埋込口12に挿入して天井板11に設置する。
【００２８】
また、照明装置10の設置状態では、出力コネクタ27に接続された接続コネクタ60および接続線16の先端側の上方を遮蔽板部51が覆っている。そのため、遮蔽板部51により、延焼防止構造とすることができるとともに、天井板11の上方に配設される例えば他の配線や断熱材などの配設物が接続コネクタ60や接続線16の先端側に接触し、出力コネクタ27に応力が加わるのを防止する。
【００２９】
そして、このように構成された電源装置15によれば、出力コネクタ27を筐体21の開口部50に臨んで筐体21の内側に配設することにより、簡単な構造で、汎用の出力コネクタ27が使用可能となり、コストを低減することができる。
【００３０】
また、筐体21は、長尺の第１の筐体31と、開口部50が設けられた長手方向の端面部45を有し、この端面部45が第１の筐体31よりも長手方向に突出配置される長尺の第２の筐体32とを備えることにより、出力コネクタ27を第１の筐体31に固定すれば、出力コネクタ27の端面27aを第２の筐体32の開口部50よりも内側の第１の筐体31側に配置することができ、簡単な構造で、汎用の出力コネクタ27が使用可能となる。
【００３１】
また、筐体21は、開口部50の上方に突出する遮蔽板部51を有するため、この遮蔽板部51により、出力コネクタ27に接続された接続コネクタ60および接続線16の先端側の上方を覆うことができる。そのため、遮蔽板部51により、延焼防止構造とすることができるとともに、天井板11の上方に配設される配設物が接続コネクタ60や接続線16の先端側に接触し、出力コネクタ27に応力が加わるのを防止し、出力コネクタ27を保護することができる。
【００３２】
なお、電源装置15は、ダウンライトに限らず、他の照明装置にも適用できる。
【００３３】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００３４】
10    照明装置
13    光源
14    器具本体
15    電源装置
21    筐体
22    電源回路
27    出力コネクタ
27a   端面
31    第１の筐体
32    第２の筐体
45    端面部
50    開口部
51    遮蔽板部
【図１】
2017174602.tif 000003
【図２】
2017174602.tif 000004
【図３】
2017174602.tif 000005
【図４】
2017174602.tif 000006
【図５】
2017174602.tif 000007
【図６】
2017174602.tif 000008